(57)【要約】【課題】  床型枠用鋼製デッキプレートの下面から垂下するウェブと該ウェブの下端に設けられたフランジから成るリブのウェブ上端部を容易且つ確実に切断する切断装置の提供。【解決手段】  本発明に係る床型枠用鋼製デッキプレートのリブ切断装置は、複数の固定手段を介して切断対象リブの下位に該切断対象リブの長手方向と平行に固定されるレール部と、該レール部に上記切断対象リブの長手方向に沿って移動可能に支持されたランナー部と、該ランナー部に上記切断対象リブと接近又は離間する方向にスライド可能に支持された電動切断機を備え、該電動切断機は電動モーター軸を内蔵する胴部と該胴部の先端部に回転可能に設けられた切断刃を有し該切断刃の回転面と上記胴部の中心軸とが直交する構成を有すると共に上記胴部の軸方向が垂直方向となるように且つ上記切断刃が上記切断対象リブのウェブ上端部に対峙するように上記ランナー部に支持される。【選択図】  図１
2019084634.tif 000002
【特許請求の範囲】
【請求項１】
床型枠用鋼製デッキプレートの下面から垂下するウェブと該ウェブの下端に設けられたフランジから成るリブのウェブ上端部を切断する切断装置であって、複数の固定手段を介して切断対象リブの下位に該切断対象リブの長手方向と平行に固定されるレール部と、該レール部に上記切断対象リブの長手方向に沿って移動可能に支持されたランナー部と、該ランナー部に上記切断対象リブと接近又は離間する方向にスライド可能に支持された電動切断機を備え、該電動切断機は電動モーター軸を内蔵する胴部と該胴部の先端部に回転可能に設けられた切断刃を有し該切断刃の回転面と上記胴部の中心軸とが直交する構成を有すると共に上記胴部の軸方向が垂直方向となるように且つ上記切断刃が上記切断対象リブのウェブ上端部に対峙するように上記ランナー部に支持されたことを特徴とする床型枠用鋼製デッキプレートのリブ切断装置。
【請求項２】
上記電動切断機は上記胴部の中心軸と上記切断刃の回転軸とが偏心する構成を有していることを特徴とする請求項１記載の床型枠用鋼製デッキプレートのリブ切断装置。
【請求項３】
上記レール部に上記ランナー部を移動可能且つ無段階固定可能に支持する移動手段を設けたことを特徴とする請求項１又は請求項２に記載の床型枠用鋼製デッキプレートのリブ切断装置。
【請求項４】
上記固定手段は一対の対向する挾持部を有し、該固定手段の各挾持部で上記切断対象リブのフランジ又は上記切断対象リブに隣接するリブのフランジを左右側から挾持して上記レール部を固定することを特徴とする請求項１乃至請求項３の何れかに記載の床型枠用鋼製デッキプレートのリブ切断装置。
【請求項５】
上記固定手段の各挾持部はリブのフランジの自由端部を上下側から拘束する一対の傾斜面を有することを特徴とする請求項４記載の床型枠用鋼製デッキプレートのリブ切断装置。
【請求項６】
上記固定手段は磁力発生部を有し、該固定手段の磁力発生部で上記切断対象リブを備える床型枠用鋼製デッキプレートの下面に磁力吸着して上記レール部を固定することを特徴とする請求項１乃至請求項３の何れかに記載の床型枠用鋼製デッキプレートのリブ切断装置。
【発明の詳細な説明】
【技術分野】
【０００１】
本発明は、鉄骨造、鉄筋コンクリート造又は鉄骨鉄筋コンクリート造の建築物における床又は屋根のスラブコンクリート打設時に用いる床型枠用鋼製デッキプレート（フラットデッキ）が備えるリブを切断する装置に関する。
【背景技術】
【０００２】
床型枠用鋼製デッキプレートは板厚０．８ｍｍ以上の薄鋼板を折り曲げ加工して成り、軽量であると共に経済性に優れ、作業も安全に行えるメリットを有する一方、薄鋼板から成ることから、補強のために下面に比較的狭い間隔（約２００ｍｍ）を置いて複数のリブを設ける必要がある。なお、該各リブは薄鋼板の折り曲げ加工によりプレート下面から垂下するウェブと該ウェブ下端に設けられたフランジを備え、長手方向の両端部は押し潰されて閉塞されている。
【０００３】
このリブの存在により、床型枠用鋼製デッキプレートはスラブコンクリートの荷重に有効に耐えることができるが、現場においてリブの一部が直下のフロアに配設する耐火用間仕切壁やダクト等の部材と干渉する場合があり、その場合には当該部材が適切に配設できるように、現場において部材と干渉するリブの一部をウェブ上端部から切断し除去せねばならない。
【０００４】
当該現場でのリブ切断作業は、スラブコンクリート打設後の作業であるので、直下のフロアから行わねばならず、作業者は上向きでの作業を強いられる上に、リブ間の間隔が狭いために切断対象リブのウェブ上端部（切断箇所）にレシプロソー（セーバーソー）やディスクサンダー（ディスクグラインダ）等の既存の切断機器の切断刃を対峙させること自体も困難であった。また、小型の切断機器を用いて切断箇所に切断刃を対峙させることができたとしても、今度は切断のための力が不足し、有効にリブのウェブ上端部を切断することができなかった。
【０００５】
他方、切断刃を要しないガス切断等によりリブを溶断することも考えられるが、床型枠用鋼製デッキプレートには、リブを含めて腐食防止のために亜鉛メッキが施されており、溶断しようとすると火花や有毒ガスが発生し、作業者が危険にさらされてしまうおそれがある。
【０００６】
したがって、床型枠用鋼製デッキプレートのリブを現場で容易且つ安全に切断する機器や方法が切望されているが、未だ有効な切断機器や方法は開発されていない。
【０００７】
但し、床型枠用鋼製デッキプレートによる施工を研究するフラットデッキ工業会（東京都中央区日本橋茅場町３−２−１０  鉄鋼会館ビル４Ｆ）は、下記非特許文献１において、新規の切断装置を提案している。
【０００８】
詳述すると、下記非特許文献１の切断装置は、切断対象リブのウェブと該切断対象リブに隣接するリブのウェブとを併せて挟持する二対のトグルクランプを介して上記切断対象リブの下位に該切断対象リブの長手方向と平行に固定される二本のレール部と、該二本のレール部に上記切断対象リブの長手方向に沿って移動可能に支持されたランナー部と、該ランナー部に上記切断対象リブと接近又は離間する方向に回動可能に支持された既製のディスクグラインダを備え、該ディスクグラインダの胴部に該胴部を延長する方向に延びる長尺のハンドルを取り付けた構成となっている。
【０００９】
当該切断装置によれば、作業者は長尺のハンドルを操作してディスクグラインダを移動又は回動して、切断対象リブのウェブ上端部を切断していくことができる。
【先行技術文献】
【非特許文献】
【００１０】
【非特許文献１】″フラットデッキリブ切断工法に関する提案および施工試験報告書″、[online]、平成２４年８月３日、フラットデッキ工業会、[平成２９年１０月６日]、インターネット〈URL:http://www.flatdeck.jp/wordpress/wp-content/uploads/2016/09/news-2012100301.pdf〉
【発明の概要】
【発明が解決しようとする課題】
【００１１】
上記非特許文献１に開示の切断装置によれば、作業者が切断機器を持ち上げる必要がなく、容易且つ安全にリブ上端部を切断することが可能となる。
【００１２】
しかしながら、当該切断装置及び切断方法にあっては、長尺のハンドルの存在により、作業者が切断箇所を視認し難く、適切な箇所を切断できない問題点を有している。
【００１３】
加えて、ディスクグラインダが回動して切断対象リブに接近又は離間する構成であるので、適切な箇所に切断刃を当てることも難しいと共に切断刃を当てる角度によっては切断刃が跳ね返されてしまうという問題点をも有している。
【課題を解決するための手段】
【００１４】
本発明は、従来の切断装置が抱える問題点を有効に解決し、より簡便且つ確実にリブのウェブ上端部を切断することができる切断装置及び切断方法を提供する。
【００１５】
要述すると、本発明に係る床型枠用鋼製デッキプレートのリブ切断装置は、床型枠用鋼製デッキプレートの下面から垂下するウェブと該ウェブの下端に設けられたフランジから成るリブのウェブ上端部を切断する切断装置であって、複数の固定手段を介して切断対象リブの下位に該切断対象リブの長手方向と平行に固定されるレール部と、該レール部に上記切断対象リブの長手方向に沿って移動可能に支持されたランナー部と、該ランナー部に上記切断対象リブと接近又は離間する方向にスライド可能に支持された電動切断機を備え、該電動切断機は電動モーター軸を内蔵する胴部と該胴部の先端部に回転可能に設けられた切断刃を有し該切断刃の回転面と上記胴部の中心軸とが直交する構成を有すると共に上記胴部の軸方向が垂直方向となるように且つ上記切断刃が上記切断対象リブのウェブ上端部に対峙するように上記ランナー部に支持されたことにより、上記切断対象リブのウェブ上端部を視認しながら床型枠用鋼製デッキプレートの下面に近い位置で確実に切断することができる。
【００１６】
好ましくは、上記電動切断機は上記胴部の中心軸と上記切断刃の回転軸とが偏心する構成を有し、上記電動切断機の胴部が切断対象リブのフランジと接触するのを有効に防止しつつ上記切断刃を切断対象リブのウェブ上端部に近づけることができ、上記電動切断機がスライドする距離を可及的に短くすることができる。
【００１７】
また、上記レール部に上記ランナー部を移動可能且つ無段階固定可能に支持する移動手段を設けたことにより、上記電動切断機が切断対象リブのウェブ上端部を確実に切断しながら移動することができる。
【００１８】
また、上記固定手段は一対の対向する挾持部を有し、該固定手段の各挾持部で上記切断対象リブのフランジ又は上記切断対象リブに隣接するリブのフランジを左右側から挾持して上記レール部を固定することにより、切断作業時に上記レール部、上記ランナー部及び上記電動切断機が上下方向にズレるのを防止することができる。好ましくは、上記固定手段の各挾持部はリブのフランジの自由端部を上下側から拘束する一対の傾斜面を有する構成とし、上記ズレ防止を確実ならしめる。
【００１９】
又は、上記固定手段は磁力発生部を有し、該固定手段の磁力発生部で上記切断対象リブを備える床型枠用鋼製デッキプレートの下面に磁力吸着して上記レール部を固定することにより、上記レール部を素早く固定することができる。
【発明の効果】
【００２０】
本発明に係る床型枠用鋼製デッキプレートのリブ切断装置によれば、切断対象リブのウェブ上端部を視認しながら床型枠用鋼製デッキプレートの下面に近い位置で確実に切断することができる。
【００２１】
また、取り付けが容易なため、作業者の負担を軽減できると共に、切断完了までの時間を短縮することができる。
【図面の簡単な説明】
【００２２】
【図１】本発明に係る床型枠用鋼製デッキプレートのリブ切断装置の取付状態を電動切断機を分解して示す斜視図である。
【図２】本発明に係る床型枠用鋼製デッキプレートのリブ切断装置の取付状態を示す正面図である。
【図３】図２の取付状態の側面図である。
【図４】ランナー部及び電動切断機の正面図である。
【図５】電動切断機の底面図である。
【図６】リブのウェブ上端部を切断する様子を示す説明図である。
【図７】固定手段の拡大図である。
【図８】固定手段の他例を示す、床型枠用鋼製デッキプレートのリブ切断装置の取付状態の正面図である。
【発明を実施するための形態】
【００２３】
以下、本発明を実施する最良の形態について、図１乃至図８に基づき説明する。
【００２４】
本発明に係る床型枠用鋼製デッキプレートのリブ切断装置（以下、単に「リブ切断装置」という。）１は、図１乃至図３に示すように、床型枠用鋼製デッキプレート（以下、単に「デッキプレート」という。）Ｐの下面ｐ１に間隔を置いて複数設けられたリブＲ・Ｒ′の切断用装置である。
【００２５】
リブＲ・Ｒ′は数枚の薄鋼板を折り曲げ加工して形成されており、デッキプレートＰの下面ｐ１から垂下するウェブｒ１・ｒ′１と該ウェブｒ１・ｒ′１の下端に設けられたフランジｒ２・ｒ′２とを備え、ウェブｒ１・ｒ′１は垂直に延びる壁状のウェブ上端部ｒ１ａ・ｒ′１ａと下方に向かい末広がり形状の断面三角形状のウェブ下端部ｒ１ｂ・ｒ′１ｂから成る構成となっている。本発明に係るリブ切断装置１は特にウェブｒ１・ｒ′１の上端部ｒ１ａ・ｒ′１ａを切断するものである。
【００２６】
なお、説明の便宜上、以下、ウェブｒ１（ｒ１ａ及びｒ１ｂ）とフランジｒ２から成るリブＲを切断対象リブとし、ウェブｒ′１（ｒ′１ａ・ｒ′１ｂ）とフランジをｒ′２から成るリブＲ′を切断対象リブＲに隣接するリブとして説明する。
【００２７】
本発明に係るリブ切断装置１は、図１乃至３に示すように、基本構成として、複数の固定手段２を介して切断対象リブＲの下位に該切断対象リブＲの長手方向と平行に固定されるレール部３と、該レール部３に切断対象リブＲの長手方向に沿って移動可能に支持されたランナー部４と、該ランナー部４に上記切断対象リブと接近又は離間する方向にスライド可能に支持された電動切断機５を備えている。なお、図中の６と７は、固定手段２とレール部３とを連結するフレームであり、アルミ等の軽量の金属で構成する。
【００２８】
レール部３は、アルミ等の金属製で角筒状を呈し、上面にレール溝３ａを開設し、該レール溝３ａにランナー部４を移動可能に支持する。したがって、ランナー部４及び電動切断機５の荷重を上面で効果的に受けることができ、当該荷重によってレール溝３ａの縁部が損傷するおそれがない。
【００２９】
図３に示すように、好ましくはレール部３内に既知の単軸アクチュエータの如き、ランナー部４を移動可能且つ無段階固定可能に支持する移動手段８を配する。移動手段８は、ねじ軸部８ａと該ねじ軸部８ａを回転させるハンドル８ｂを有し、ネジ軸部８ａとランナー部４の一部を螺合することにより、ハンドル８ｂが回転するときにはランナー部４を切断対象リブＲの長手方向に沿って移動（前進・後退）できるようにし、ハンドル８ｂが回転しないときにはランナー部４をその位置で固定できるようにする。なお、移動手段は、上記例示したアクチュエータに限らず、ランナー部４を移動可能且つ無段階固定可能に支持できる手段であれば、特に限定はない。
【００３０】
既述のようにレール部３のレール溝３ａにて支持されたランナー部４は、鋼等の金属から成り、図２・図３に示すように、レール溝３ａに支持される基部４ａと該基部４ａ上にスライド可能に設けられたスライド部４ｂを有しており、該スライド部４ｂが電動切断機５を支持し、該電動切断機５を切断対象リブＲと接近する方向又は離間する方向にスライドさせる。スライド部４ｂは例えばラックアンドピニオン等の既知のスライド機構を利用して、移動可能且つ無段階固定可能に設けることが望ましい。なお、図中の４ｃはスライド部４ｂをスライドさせるスライド摘みであり、スライド部４ｂのラックと係合するピニオンと連動している。
【００３１】
ランナー部４のスライド部４ｂに支持された電動切断機５は、図４・図５に示すように、電動モーター軸５ｄを内蔵する胴部５ａと該胴部５ａの先端部に回転可能に設けられた切断刃５ｂを有し該切断刃５ｂの回転面と上記胴部５ａの中心軸とが直交する構成を有する。また、切断刃５ｂの周囲には切断の際に切削粉が飛び散らないように、また作業者の安全のためにカバー部５ｃが取り付けられている。
【００３２】
好ましくは、図４・図５に示すように、胴部５ａの中心軸（電動モーター軸５ｄの中心）と切断刃５ｂの回転軸（回転中心）とが偏心する構成を有する。詳述すると、電動モーター軸５ｄと切断刃５ｂの回転軸５ｆ間に中間軸５ｅを介在させて、これら三つの軸をベベルギヤを介して連結することにより、胴部５ａの中心軸と切断刃５ｂの回転軸５ｆとを偏心させる構成となっている。この偏心構成により、電動切断機の胴部５ａが切断対象リブＲのフランジｒ２と接触するのを有効に防止しつつ切断刃５ｂを切断対象リブＲのウェブ上端部ｒ１ａに近づけることができ、電動切断機５がスライドする距離を可及的に短くすることができる。
【００３３】
また、電動切断機５は胴部５ａの軸方向が垂直方向となるように且つ切断刃５ｂが切断対象リブＲのウェブ上端部ｒ１ａに対峙するようにランナー部４のスライド部４ｂに支持される。なお、本発明にあっては、電動切断機５の前記偏心構成により、切断刃５ｂを覆うカバー部５ｃを突出して設けることができ、該突出したカバー部５ｃをランナー部４のスライド部４ｂが支持することにより、電動切断機５の荷重をスライド部４ｂが安定して受けることができる。
【００３４】
最後に固定手段２について説明する。本発明に係るリブ切断装置１は、図１乃至図３に示すように、四つの固定手段２を備え、該四つの固定手段２は横フレーム６及び縦フレーム７を介して連結したレール部３を支持している。具体的には、二つの固定手段２を切断対象リブＲのフランジｒ２に固定し、残りの二つの固定手段２を切断対象リブＲと隣接するリブＲ′のブランジｒ′２に固定している。
【００３５】
固定手段２は、図７に示すように、対向する一対の挾持部２ａ・２ｂと、この内の挾持部２ａを操作するレバー２ｃを有している。固定の際には、レバー２ｃを水平に倒すことにより挾持部２ａを挾持部２ｂから離間させ、該挾持部２ａと挾持部２ｂ間に切断対象リブＲのフランジｒ２又は該切断対象リブＲに隣接するリブＲ′のフランジｒ′２を介在させた後、レバー２ｃを垂直となるまで下方に回動させれば、挾持部２ａ及び挾持部２ｂがフランジの左右側の自由端部を左右側から挾持して固定することができる。したがって、建設現場において簡単に固定作業が完了する。
【００３６】
また、前記した挾持部２ａ・２ｂは、フランジｒ２・ｒ′２の自由端部を上下側から拘束する一対の傾斜面２ｄ・２ｅを備えることが望ましい。傾斜面２ｄはフランジｒ２・ｒ′２の自由端部に向かって上り傾斜する面であり、傾斜面２ｅはフランジｒ２・ｒ′２の自由端部に向かって下り傾斜する面であり、これら傾斜面２ｄ・２ｅによりフランジｒ２・ｒ′２の自由端部を左右側のみならず上下側からも拘束して強固に固定することができる。そのため、切断作業時にレール部３、ランナー部４及び電動切断機５が上下方向にズレるのを有効に防止することができる。
【００３７】
なお、図の例では、切断対象リブＲと、それに隣接するリブＲ′の双方に固定手段２を固定しているが、本発明はこれに限定されるものではなく、例えば切断対象リブＲのみに複数の固定手段２を固定することや、切断対象リブＲに隣接するウェブＲ′のみに複数の固定手段２を固定することも実施に応じ任意である。いずれにしても、レール部３を切断対象リブＲの下位に、該切断対象リブＲの長手方向に平行に配することができれば良い。
【００３８】
また、固定手段２は既述したようなフランジｒ２・ｒ′２を挟持する構成に限らず、例えば、図８に示すように、永久磁石や電磁石等の磁力発生部２ｆを有する構成とし、該磁力発生部２ｆで切断対象リブＲを備えるデッキプレートＰの下面ｐ１に磁力吸着してレール部３を固定するようにすることもできる。これにより、レール部３をはじめランナー部４及び電動切断機５を素早く固定することができる。
【００３９】
以上説明した構成の本発明に係るリブ切断装置１によれば、図６に示すように、建設現場において、切断対象リブＲのウェブ上端部ｒ１ａを視認しながら作業することができ、電動切断機５の切断刃５ｂをデッキプレートＰの下面ｐ１に近い位置で切断対象リブＲのウェブ上端部ｒ１ａに対峙させて切断を開始することができる。よって、切断対象リブＲのウェブ上端部ｒ１ａをデッキプレートＰの下面ｐ１に近い位置で確実に切断することができる。しかも、レール部３が備える移動手段８により、電動切断機５の移動と無段階固定が可能となるので、切断刃５ｂは確実にスリットＣを形成しながら、移動することができる。したがって、切断後のウェブ上端部ｒ１ａの残存高さを数ｍｍ程度に抑えるように切断することができると共に、切断面も美麗なものとなる。
【００４０】
また、取り付けが容易なため、作業者の負担を軽減できると共に、切断完了までの時間を短縮することができる。
【００４１】
なお、本発明に係るリブ切断装置１によって所望の長さのスリットＣを形成した後、該スリットＣの長手方向の両端部において、既知のレシプロソー等の切断器具によりフランジｒ２側からスリットＣにかけて切断すれば、切断対象リブＲをコの字状に切欠することができ、耐火用間仕切壁やダクト等の部材との干渉を有効に解消することができる。
【符号の説明】
【００４２】
１…床型枠用鋼製デッキプレートのリブ切断装置、２…固定手段、２ａ…挾持部、２ｂ…挾持部、２ｃ…レバー、２ｄ…第一傾斜面、２ｅ…第二傾斜面、２ｆ…磁力発生部、３…レール部、３ａ…レール溝、４…ランナー部、４ａ…基部、４ｂ…スライド部、４ｃ…スライド摘み、５…電動切断機、５ａ…胴部、５ｂ…切断刃、５ｃ…カバー部、５ｄ…電動モーター軸、５ｅ…中間軸、５ｆ…切断刃の回転軸、６…横フレーム、７…縦フレーム、８…移動手段、８ａ…ねじ軸部、８ｂ…ハンドル、Ｐ…床型枠用鋼製デッキプレート、ｐ１…下面、Ｒ…切断対象リブ、ｒ１…ウェブ、ｒ１ａ…ウェブ上端部、ｒ１ｂ…ウェブ下端部、ｒ２…フランジ、Ｒ′…切断対象リブに隣接するリブ、ｒ′１…ウェブ、ｒ′１ａ…ウェブ上端部、ｒ′１ｂ…ウェブ下端部、ｒ′２…フランジ、Ｃ…スリット。
【図１】
2019084634.tif 000003
【図２】
2019084634.tif 000004
【図３】
2019084634.tif 000005
【図４】
2019084634.tif 000006
【図５】
2019084634.tif 000007
【図６】
2019084634.tif 000008
【図７】
2019084634.tif 000009
【図８】
2019084634.tif 000010
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
床型枠用鋼製デッキプレートの下面から垂下するウェブと該ウェブの下端に設けられたフランジから成るリブのウェブ上端部を切断する切断装置であって、複数の固定手段を介して切断対象リブの下位に該切断対象リブの長手方向と平行に固定されるレール部と、該レール部に上記切断対象リブの長手方向に沿って移動可能に支持されたランナー部と、該ランナー部に上記切断対象リブと接近又は離間する方向にスライド可能に支持された電動切断機を備え、該電動切断機は電動モーター軸を内蔵する胴部と該胴部の先端部に回転可能に設けられた切断刃を有し該切断刃の回転面と上記胴部の中心軸とが直交する構成を有すると共に上記胴部の軸方向が垂直方向となるように且つ上記切断刃が上記切断対象リブのウェブ上端部に対峙するように上記ランナー部に支持され、上記固定手段は一対の対向する挾持部を有し、該各挾持部はリブのフランジの自由端部を上下側から拘束する一対の傾斜面を有し、該各挾持部で上記切断対象リブのフランジ又は上記切断対象リブに隣接するリブのフランジを左右側から挾持して上記レール部を固定することを特徴とする床型枠用鋼製デッキプレートのリブ切断装置。
【請求項２】
上記電動切断機は上記胴部の中心軸と上記切断刃の回転軸とが偏心する構成を有していることを特徴とする請求項１記載の床型枠用鋼製デッキプレートのリブ切断装置。
【請求項３】
上記レール部に上記ランナー部を移動可能且つ無段階固定可能に支持する移動手段を設けたことを特徴とする請求項１又は請求項２に記載の床型枠用鋼製デッキプレートのリブ切断装置。
【手続補正２】
【補正対象書類名】明細書
【補正対象項目名】００１９
【補正方法】削除
【補正の内容】